(57)【要約】      （修正有） 【課題】空気清浄と芳香効果を達成し、骨壺の周囲の環境と場所の空気と雰囲気を改善する芳香発生機能付き骨壺を提供する。【解決手段】芳香発生機能付き骨壺は、壺体１と壺カバー２と芳香発生器３とを含み、壺体が、壺体の内部に収容空間と開口を形成するように、壺体の周縁に壺壁１１を具え、壺カバーが壺体の収容空間と開口を被せて密封し、芳香発生器が容器本体３１と香料３３を含み、容器本体の内部に収容孔３２を具え、香料が容器本体の収容孔の内に収容され、芳香発生器の容器本体が壺体又は壺カバーの外側面に固定され、容器本体の収容孔に香料の香気を通過させ、外へ空気中に揮発して拡散させる。【選択図】図２
0003213335.tif 000002
【実用新案登録請求の範囲】
【請求項１】
壺体と壺カバーと芳香発生器とを含み、
該壺体が、該壺体の内部に収容空間を形成するように、該壺体の周縁に壺壁を具え、該収容空間に連通する開口を具え、
該壺カバーが該壺体の該開口を被せ、該壺体の収容空間を密封し、
該芳香発生器が容器本体と香料を含み、該容器本体の内部に収容孔を具え、該香料が該容器本体の該収容孔の内に収容され、該芳香発生器の該容器本体が該壺体又は該壺カバーの外側面に固定され、該容器本体の該収容孔に該香料の香気を通過させ、外へ揮発して拡散させることを特徴とする芳香発生機能付き骨壺。
【請求項２】
該芳香発生器の該容器本体が該壺カバーの外側面より一体に延びて構成されることを特徴とする請求項１に記載の芳香発生機能付き骨壺。
【請求項３】
該壺体の該壺壁の外側面に磁着物が設けられ、該芳香発生器の該容器本体の一側に磁着部材が設けられ、該容器本体の該磁着部材を該壺壁の該磁着物に引き付けて位置決めさせることを特徴とする請求項１に記載の芳香発生機能付き骨壺。
【請求項４】
該壺体の該壺壁の外側面に凹孔が設けられ、該磁着物が該凹孔の内に固定され、該容器本体の該磁着部材を該凹孔の内に挿入させることを特徴とする請求項３に記載の芳香発生機能付き骨壺。
【請求項５】
該香料が固体状態又は液体状態であることを特徴とする請求項１に記載の芳香発生機能付き骨壺。 
【考案の詳細な説明】
【技術分野】
【０００１】
本考案は骨壺に関し、特に芳香発生機能付き骨壺に関する。
【背景技術】
【０００２】
従来の骨壺が主に壺体と壺カバーを含み、壺体の内部に中空のチェンバーを有し、亡くなった人間或いはペットが火葬した後に残した骨灰を安置し、また壺カバーを壺体の開口に被せ、壺体の中空のチェンバーを密封し、亡くなった人間或いはペットの骨灰を壺体に保存する。
【０００３】
しかしながら、骨壺が亡くなった人間或いはペットの骨灰を長年で安置する上、カビが生えやすくて異臭が生じ、周囲の環境と場所の空気と雰囲気を影響する。よって、どのように上記の問題を解決するものは、関連業者が尽力で研究しようとする課題である。
【先行技術文献】
【特許文献】
【０００４】
【特許文献１】実用新案登録第３０８５６７５号公報
【考案の概要】
【考案が解決しようとする課題】
【０００５】
本考案の主な目的は、壺体又は壺カバーの外側面に芳香発生器が設けられ、香料の香気を外へ空気中に揮発して拡散させ、空気清浄と芳香効果を達成し、骨壺の周囲の環境と場所の空気と雰囲気を改善する芳香発生機能付き骨壺を提供することにある。
【課題を解決するための手段】
【０００６】
上述した目的を達成するために、本考案に係る芳香発生機能付き骨壺は、壺体と壺カバーと芳香発生器とを含み、該壺体が、該壺体の内部に収容空間を形成するように、該壺体の周縁に壺壁を具え、該収容空間に連通する開口を具え、該壺カバーが該壺体の該開口を被せ、該壺体の収容空間を密封し、該芳香発生器が容器本体と香料を含み、該容器本体の内部に収容孔を具え、該香料が該容器本体の該収容孔の内に収容され、該芳香発生器の該容器本体が該壺体又は該壺カバーの外側面に固定され、該容器本体の該収容孔に該香料の香気を通過させ、外へ揮発して拡散させる。
【０００７】
上記の芳香発生機能付き骨壺においては、該芳香発生器の該容器本体が該壺カバーの外側面より一体に延びて構成される。
【０００８】
上記の芳香発生機能付き骨壺においては、該壺体の該壺壁の外側面に磁着物が設けられ、該芳香発生器の該容器本体の一側に磁着部材が設けられ、該容器本体の該磁着部材を該壺壁の該磁着物に引き付けて位置決めさせる。
【０００９】
上記の芳香発生機能付き骨壺においては、該壺体の該壺壁の外側面に凹孔が設けられ、該磁着物が該凹孔の内に固定され、該容器本体の該磁着部材を該凹孔の内に挿入させる。
【００１０】
上記の芳香発生機能付き骨壺においては、該香料が固体状態又は液体状態である。
【図面の簡単な説明】
【００１１】
【図１】本考案の第一実施例に係る芳香発生機能付き骨壺を示す斜面図である。
【図２】本考案の第一実施例に係る芳香発生機能付き骨壺を示す斜面断面図である。
【図３】本考案の第一実施例に係る芳香発生機能付き骨壺の壺カバーと芳香発生器を示す斜面図である。
【図４】本考案の第二実施例に係る芳香発生機能付き骨壺を示す斜面図である。
【図５】本考案の第二実施例に係る芳香発生機能付き骨壺の部分断面を示す拡大斜面図。
【図６】本考案の第二実施例に係る芳香発生機能付き骨壺を示す分解斜面図である。
【考案を実施するための形態】
【実施例】
【００１２】
図１から図３までに示す第一実施例を参照し、本考案に係る芳香発生機能付き骨壺は、亡くなった人間或いはペットの骨灰を安置するためにあり、該骨壺が壺体１と壺カバー２と芳香発生器３とを含み、該壺体１が、該壺体１の内部に収容空間１２を形成するように、該壺体１の周縁に壺壁１１を具え、該収容空間１２に連通する開口１２１を具える。
【００１３】
該壺カバー２が該壺体１の該開口１２１を被せ、該壺体１の収容空間１２を密封する。
【００１４】
該芳香発生器３が容器本体３１と香料３３を含み、該容器本体３１が該壺カバー２の外側面より一体に延びて構成され、該容器本体３１の内部に収容孔３２を具え、該香料３３が該容器本体３１の該収容孔３２の内に収容され、該香料３３が固体状態又は液体状態である。
【００１５】
上記により、該芳香発生器３の該容器本体３１が予めに該壺カバー２の外側面に一体成型で固定され、該容器本体３１の該収容孔３２に該香料３３の香気を通過させ、外へ空気中に揮発して拡散させ、空気清浄と芳香効果を達成し、骨壺の周囲の環境と場所の空気と雰囲気を改善する。
【００１６】
図４から図６までに示す第二実施例を参照し、この骨壺は、同じように壺体１’と壺カバー２’と芳香発生器３’とを含み、該壺体１’の内部に収容空間１２’を形成するように、該壺体１’の周縁に壺壁１１’を具え、該壺カバー２’が該壺体１’の該収容空間１２’を被せて密封し、該芳香発生器３’が容器本体３１’の収容孔３２’の内に香料３３’を収容する。該壺体１’の該壺壁１１’の外側面に磁着物４と凹孔１１１’が設けられ、該磁着物４を該凹孔１１１’の内に固定し、該芳香発生器３’の該容器本体３１’の一側に磁着部材５が設けられ、該容器本体３１’の該磁着部材５を磁力で該壺壁１１’の該磁着物４に引き付けて位置決めさせ、該容器本体３１’の該磁着部材５を該凹孔１１１’の内に挿入させ、該容器本体３１’の該収容孔３２’に該香料３３’の香気を通過させ、外へ空気中に揮発して拡散させる。
【００１７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１８】
１，１’……壺体
１１，１１’……壺壁
１１１’……凹孔
１２，１２’……収容空間
１２１……開口
２，２’……壺カバー
３，３’……芳香発生器
３１，３１’……容器本体
３２，３２’……収容孔
３３，３３’……香料
４……磁着物
５……磁着部材
【図１】
0003213335.tif 000003
【図２】
0003213335.tif 000004
【図３】
0003213335.tif 000005
【図４】
0003213335.tif 000006
【図５】
0003213335.tif 000007
【図６】
0003213335.tif 000008